(57)【特許請求の範囲】
【請求項１】
底壁と前記底壁の幅方向の両端より立設された一対の側壁とによって囲まれた電線収容空間と、前記底壁の幅方向の両側部から前記各側壁の一部にまで開口された一対のバンド挿通孔とを備えたプロテクタと、
前記底壁の外側から一対の前記バンド挿通孔を貫通して前記電線収容空間に入り込む内周バンド経路と、前記底壁の内側から一対の前記バンド挿通孔を通過して一対の前記側壁の外側を回り込む外周バンド経路とに選択的に配策可能な結束バンドとを備え、
前記結束バンドを前記内周バンド経路と前記外周バンド経路のいずれかで前記電線収容空間に配置された電線が前記プロテクタに固定されたことを特徴とする電線固定構造。
【請求項２】
請求項１記載の電線固定構造であって、
前記側壁の開口側には、バンド用切欠部が設けられたことを特徴とする電線固定構造。
【請求項３】
請求項１または請求項２記載の電線固定構造であって、
前記側壁には、前記側壁の外側を通る前記結束バンドを保持するバンド保持部が設けられたことを特徴とする電線固定構造。
【請求項４】
請求項１〜請求項３のいずれかに記載の電線固定構造であって、
一対の前記バンド挿通孔は、前記プロテクタの電線配策方向の両端部に設けられたことを特徴とする電線固定構造。
【発明の詳細な説明】
【技術分野】
【０００１】
本発明は、プロテクタに電線を固定する電線固定構造に関する。
【背景技術】
【０００２】
プロテクタへの電線固定構造は、従来より種々提案されている（特許文献１、２参照）。プロテクタへの電線固定構造の一従来例が図８（ａ）、（ｂ）に示されている。この電線固定構造は、プロテクタ５０を有する。プロテクタ５０は、底壁５１と、底壁５１の両端より立設された一対の側壁５２とを備え、これらに囲まれて電線収容空間５３が形成されている。プロテクタ５０の長手方向の両端側には、一対の側壁５２の両端より外側に突出し、底壁５１より突出する延長底壁部５１ａが設けられている。電線収容空間５３に電線Ｗを配置し、結束バンド６０で延長底壁部５１ａと共に電線Ｗを締結することで電線Ｗがプロテクタ５０に固定される。
【先行技術文献】
【特許文献】
【０００３】
【特許文献１】特開２００２−１５２９４０号公報
【特許文献２】特開２０１５−１４６６６９号公報
【発明の概要】
【発明が解決しようとする課題】
【０００４】
しかしながら、電線収容空間５３に配置する電線Ｗは、全体としての電線径サイズ（複数本の場合には、複数の電線を束ねた状態での全体サイズ）が太い場合もあるが細い場合もある。電線径サイズが太い場合には、結束バンド６０内に隙間なく電線Ｗを固定できる。しかし、電線径サイズが細い場合には、図８（ｂ）に示すように、結束バンド６０内に隙間ｄが発生した状態で締結され、確実な固定ができない。ここで、全体としての電線径サイズが細い場合に合わせてプロテクタ５０を作製すると、電線径サイズが太い電線Ｗがプロテクタ５０内に収容できず外部にはみ出す。電線Ｗがプロテクタ５０より外部にはみ出すと、電線Ｗを保護するというプロテクタ５０としての本来の機能を果たせない。
【０００５】
ここで、特許文献１に開示された電線固定構造では、電線収容空間の大きさに対して電線径サイズが細い場合には、前記従来例と同様に、結束バンド内に隙間が発生し、強固に固定できない。
【０００６】
特許文献２に開示された電線固定構造では、結束バンドが電線収容空間に配置されるため、電線径サイズの細い電線を確実に固定できる。しかし、電線径サイズが太い電線にあっては、電線を結束バンドで直に拘束すると結束バンドが電線からの強い反力を狭い面積で受けることなり、結束バンドが伸びる等して確実に固定できない恐れがある。
【０００７】
そこで、本発明は、前記した課題を解決すべくなされたものであり、プロテクタのサイズを変更しなくても、電線径サイズに係わらず電線を確実に固定できる電線固定構造を提供することを目的とする。
【課題を解決するための手段】
【０００８】
本発明は、底壁と前記底壁の幅方向の両端より立設された一対の側壁とによって囲まれた電線収容空間と、前記底壁の幅方向の両側部から前記各側壁の一部にまで開口された一対のバンド挿通孔とを備えたプロテクタと、前記底壁の外側から一対の前記バンド挿通孔を貫通して前記電線収容空間に入り込む内周バンド経路と、前記底壁の内側から一対の前記バンド挿通孔を通過して一対の前記側壁の外側を回り込む外周バンド経路とに選択的に配策可能な結束バンドとを備え、前記結束バンドを前記内周バンド経路と前記外周バンド経路のいずれかで前記電線収容空間に配置された電線が前記プロテクタに固定されたことを特徴とする電線固定構造である。
【発明の効果】
【０００９】
本発明によれば、電線径サイズが細い場合には、結束バンドを内周バンド経路で電線収容空間の電線がプロテクタに固定し、電線径サイズが太い場合には、結束バンドを外周バンド経路で電線収容空間の電線がプロテクタに固定する。内周バンド経路では、一対のバンド挿通孔の幅が一対の側壁の幅より小さいために、結束バンド内に隙間なく電線を締結できるため、電線を確実に固定できる。外周バンド経路では、結束バンドで一対の側壁の内側に電線を配置した状態で一対の側壁と共に電線を締結するため、電線径サイズが太い電線からの反力が一対の側壁を通してしか電線に作用せず、確実に電線を固定できる。以上より、プロテクタのサイズを変更しなくても、電線径サイズに係わらず電線を確実に固定できる。
【図面の簡単な説明】
【００１０】
【図１】本発明の第１実施形態を示し、（ａ）はプロテクタの斜視図、（ｂ）はプロテクタの平面図、（ｃ）はプロテクタの側面図である。
【図２】本発明の第１実施形態を示し、（ａ）はプロテクタに細い電線径サイズの電線を固定した状態を示す斜視図、（ｂ）はプロテクタに細い電線径サイズの電線を固定した状態を示す平面図、（ｃ）はプロテクタに細い電線径サイズの電線を固定した状態を示す側面図である。
【図３】本発明の第１実施形態を示し、（ａ）はプロテクタに太い電線径サイズの電線を固定した状態を示す斜視図、（ｂ）はプロテクタに太い電線径サイズの電線を固定した状態を示す平面図、（ｃ）はプロテクタに太い電線径サイズの電線を固定した状態を示す側面図である。
【図４】本発明の第２実施形態を示し、（ａ）はプロテクタに細い電線径サイズの電線を固定した状態を示す斜視図、（ｂ）はプロテクタに細い電線径サイズの電線を固定した状態を示す平面図、（ｃ）はプロテクタに細い電線径サイズの電線を固定した状態を示す側面図である。
【図５】本発明の第２実施形態を示し、（ａ）はプロテクタに太い電線径サイズの電線を固定した状態を示す斜視図、（ｂ）はプロテクタに太い電線径サイズの電線を固定した状態を示す平面図、（ｃ）はプロテクタに太い電線径サイズの電線を固定した状態を示す側面図である。
【図６】本発明の第３実施形態を示し、（ａ）はプロテクタに太い電線径サイズの電線を固定した状態を示す斜視図、（ｂ）はプロテクタに太い電線径サイズの電線を固定した状態を示す平面図、（ｃ）はプロテクタに太い電線径サイズの電線を固定した状態を示す側面図である。
【図７】本発明の第４実施形態を示し、（ａ）はプロテクタに太い電線径サイズの電線を固定した状態を示す斜視図、（ｂ）はプロテクタに太い電線径サイズの電線を固定した状態を示す平面図、（ｃ）はプロテクタに太い電線径サイズの電線を固定した状態を示す側面図である。
【図８】従来例を示し、（ａ）はプロテクタに細い電線径サイズの電線を固定した状態を示す斜視図、（ｂ）はプロテクタに細い電線径サイズの電線を固定した状態を示す正面図である。
【発明を実施するための形態】
【００１１】
以下、本発明の実施形態を図面に基づいて説明する。
【００１２】
（第１実施形態）
図１〜図３には、本発明の第１実施形態が示されている。第１実施形態に係る電線固定構造は、プロテクタ１Ａと結束バンド１０を備えている。
【００１３】
プロテクタ１Ａは、底壁２と、この底壁２の幅方向の両端より立設された一対の側壁３と、一方の側壁３の底壁２側より突設された車体取付用のブラケット部４とを備えている。底壁２と一対の側壁３に囲まれて電線収容空間５が形成されている。電線収容空間５は、上方側が開口されている。この開口より電線Ｗを電線収容空間５に収容する。プロテクタ１Ａの電線配策方向の両端部には、一対のバンド挿通孔６と一対のバンド用切欠部７と一対のバンド保持部８がそれぞれ設けられている。
【００１４】
一対のバンド挿通孔６は、底壁２の幅方向の両側部から各側壁３の一部にまで開口されている。一対のバンド挿通孔６の内周端の間の間隔Ｌ１は、小さければ小さいほど全体としての電線径サイズが小さい電線Ｗを隙間なく締結できるが、プロテクタ１Ａとしての必要最小限の強度を確保できる寸法とされている。
【００１５】
一対のバンド用切欠部７は、一対の側壁３の上端より下方に向かって方形状に切り欠かれて形成されている。バンド用切欠部７の深さ寸法Ｌ２１は、深ければ深いほど全体としての電線径サイズが小さい電線Ｗを隙間なく締結できるが、プロテクタ１Ａとしての必要最小限の強度を確保できる寸法とされている。
【００１６】
一対のバンド保持部８は、各側壁部３の外側に突設されている。各バンド保持部８には、上下方向に結束バンド１０用の貫通孔８ａが形成されている。
【００１７】
結束バンド１０は、帯状の部材で、所望の位置で結束できるよう形成されている。結束バンド１０は、図２（ａ）〜（ｃ）に示すように、底壁２の外側から一対のバンド挿通孔６を通って内部の電線収容空間５に入り込む内周バンド経路と、図３（ａ）〜（ｃ）に示すように、底壁２の内側から一対のバンド挿通孔６を経由して一対の側壁３の外側を回り込み、一対のバンド保持部８を通す外周バンド経路とに選択的に配策可能である。
【００１８】
次に電線（複数の電線束又は１本を問わない）Ｗの固定作業を説明する。以下、説明の便宜上、全体としての電線径サイズ（複数本の場合には、複数の電線を束ねた状態での全体サイズ、以下同様）が細い電線をＷ１、電線径サイズが太い電線をＷ２とする。電線径サイズが細い電線Ｗ１を固定する場合には、結束バンド１０を図２（ａ）〜（ｃ）に示す内周バンド経路とし、電線収容空間５に配置した電線Ｗ１を結束バンド１０で締結する。内周バンド経路では、一対のバンド挿通孔６の幅Ｌ１が一対の側壁３の幅より小さいために、結束バンド１０内に隙間なく電線Ｗ１を締結できるため、電線Ｗ１を確実に固定できる。
【００１９】
電線径サイズが太い電線Ｗ２を固定する場合には、結束バンド１０を図３（ａ）〜（ｃ）に示す外周バンド経路とし、結束バンド１０を一対のバンド用切欠部７に通し、電線Ｗ２を結束バンド１０で締結する。外周バンド経路では、結束バンド１０で一対の側壁３の内側に電線Ｗ２を配置した状態で一対の側壁３と共に電線Ｗ２を締結するため、電線径サイズが太い電線からの反力が一対の側壁３を通してしか電線Ｗ２に作用せず、確実に電線Ｗ２を固定できる。以上より、プロテクタ１Ａのサイズを変更しなくても、電線径サイズに係わらず電線Ｗ１，Ｗ２を確実に固定できる。
【００２０】
一対の側壁部３には一対のバンド用切欠部７が設けられている。この一対のバンド用切欠部７に結束バンド１０を通すため、一対のバンド挿通孔６と共に結束バンド１０の位置ずれを確実に防止するため、電線Ｗ２を更に確実に固定できる。
【００２１】
一対の側壁部３には、バンド保持部８が設けられている。従って、締結前の結束バンド１０が締結容易な位置で保持できるため、電線Ｗを締結作業性が向上する。
【００２２】
一対のバンド挿通孔６は、プロテクタ１Ａの電線配策方向の両端部に設けられている。従って、プロテクタ１Ａの長さ方向の両端部で電線Ｗが結束バンド１０で締結されるため、プロテクタ１Ａの両端部でテープ巻きをする必要がない。つまり、結束バンド１０がテープ巻きの機能を兼用する。これにより、テープ巻き作業を省略できるため、作業性が向上すると共にプロテクタ１Ａの両端部にテープ巻き部を設定しなくても良いため、プロテクタ１Ａの小型化、コスト安になる。
【００２３】
尚、外周バンド経路としては、底壁２の内側ではなく外側から一対のバンド挿通孔６を経由して一対の側壁３の外側を回り込み、一対のバンド保持部８を通す経路も考えられる。
【００２４】
（第２実施形態）
図４及び図５には、本発明の第２実施形態が示されている。第２実施形態に係る電線固定構造は、前記第１実施形態と同様に、プロテクタ１Ｂと結束バンド１０を備えている。そして、第１実施形態と比較するに、プロテクタ１Ｂに一対のバンド用保持部が設けられていない点のみが相違する。他の構成は、第１実施形態と同じなので、同一構成箇所には同一符号を付して説明を省略する。
【００２５】
この第２実施形態でも、第１実施形態と同様に、つまり、電線径サイズが細い電線では内周バンド経路で電線を固定し（図２参照）、電線径サイズが太い電線では、図４、図５に示す外周バンド経路で電線Ｗ２を固定することにより、プロテクタ１Ｂのサイズを変更しなくても、電線径サイズに係わらず電線Ｗを確実に固定できる。
【００２６】
（第３実施形態）
図６には、本発明の第３実施形態が示されている。第３実施形態に係る電線固定構造は、前記第１実施形態と同様に、プロテクタ１Ｃと結束バンド１０を備えている。そして、第１実施形態と比較するに、プロテクタ１Ｃに一対のバンド用切欠部７が設けられておらず、一対のバンド用保持部８が側壁３の上端部に設けられた点のみが相違する。他の構成は、第１実施形態と同じなので、同一構成箇所には同一符号を付して説明を省略する。
【００２７】
この第３実施形態でも、第１実施形態と同様に、つまり、電線径サイズが細い電線では内周バンド経路で電線を固定し（図２参照）、電線径サイズが太い電線では、図６に示す外周バンド経路で電線Ｗ２を固定することにより、プロテクタ１Ｃのサイズを変更しなくても、電線径サイズに係わらず電線Ｗを確実に固定できる。
【００２８】
この第３実施形態では、一対のバンド挿通孔６と共に一対のバンド用保持部８が結束バンド１０の位置ずれを防止し、電線Ｗ２を確実に固定する。
【００２９】
（第４実施形態）
図７には、本発明の第４実施形態が示されている。第４実施形態に係る電線固定構造は、前記第１実施形態と同様に、プロテクタ１Ｄと結束バンド１０を備えている。そして、第１実施形態と比較するに、プロテクタ１Ｄに一対のバンド用保持部と一対の切欠部の双方が設けられていない点のみが相違する。他の構成は、第１実施形態と同じなので、同一構成箇所には同一符号を付して説明を省略する。
【００３０】
この第４実施形態でも、第１実施形態と同様に、つまり、電線径サイズが細い電線では内周バンド経路で電線を固定し（図２参照）、電線径サイズが太い電線では、図７に示す外周バンド経路で電線Ｗ２を固定することにより、プロテクタ１Ｄのサイズを変更しなくても、電線径サイズに係わらず電線Ｗを確実に固定できる。
【００３１】
（電線固定方法）
第１〜第４実施形態は、電線サイズが細い電線Ｗ１は、底壁２の外側から一対のバンド挿通孔６を貫通して内部の電線収容空間５に入り込む内周バンド経路で電線収容空間５の電線Ｗ１をプロテクタ１Ａ〜１Ｄに固定し、電線サイズが太い電線Ｗ２は、底壁２の外側から一対のバンド挿通孔６を通過して一対の側壁３の外側を回り込む外周バンド経路で電線収容空間５の電線Ｗ２をプロテクタ１Ａ〜１Ｄに固定する電線固定方法を提供する。
【符号の説明】
【００３２】
１Ａ〜１Ｄ  プロテクタ
２  底壁
３  側壁
５  電線収容空間
６  バンド挿通孔
７  バンド用切欠部
８  バンド保持部
【図１】
0006613146.tif 000002
【図２】
0006613146.tif 000003
【図３】
0006613146.tif 000004
【図４】
0006613146.tif 000005
【図５】
0006613146.tif 000006
【図６】
0006613146.tif 000007
【図７】
0006613146.tif 000008
【図８】
0006613146.tif 000009